(57)【要約】      （修正有）【課題】台風時津波時に対して本施設が安全で、漂砂対策、浮遊物の除去が容易な波力発電設備を提供する。【解決手段】台風時津波時に十分耐処出来る強度を有している。、漂砂の対策として突堤６を海洋に長く突出し沿岸流を変化させ、必要に応じ潜り堰を設け、排水路からの排水方向を突堤６先端に向けることにより漂砂の堆積を最小限に出来る構築構造とした。浮遊物に関しては適宜水門４、５−１、５−２を開け除去することの出来る構築構造とした。発電効率に関しては導入水が供給されない場合でも、貯水容量にてカバー出来る上、下、貯水池とした、導入水の上昇高さの確保についてはＶ字突堤６の開き及び長さ海底勾配の階段式勾配により効率よく構築した構造とする。導入水の貯水池迄の導入路勾配は３％〜７％の緩やかな勾配とすることにより上、下貯水池に海洋水を導入出来る構築構造とした、【選択図】図１
2016070041.tif 000002
【特許請求の範囲】
【請求項１】
陸地と海洋部の境界にある沿岸線から陸地へ４０ｍ入った地点を原点とし沿岸線に直角海洋へ中心線を伸ばし、その中心線から両側に１８°から３０°海洋方向に開いた突堤の平面的形状とし、海洋部面積を陸地へ向かって順次狭めたＶ字型形状とする、Ｖ字型突堤陸地部側部は鉄筋コンクリート構造の抑制型タイプの構築体として調整池へ海洋水を導入し易い構造とし、引き波時海洋水導入管内の逆流圧力と海洋エネルギーのバランスを計る目的で突堤陸側先端部は１５ｍ深く掘り下げた鉄筋コンクリート構築部とし、貯水池へ海洋水を高く上昇出来る構築構造を特許請求の範囲とする。
【請求項２】
突堤構造平面はＶ字型に沿岸線より海洋へ３５０ｍ〜４００ｍ開き延長した構築構造で、突堤幅は２０ｍ、ケーソン躯体重ね積み構築とし、２０ｍのケーソン周辺両側及び突堤先端部は大口径２号港湾型鋼管で包囲した構築構造として、津波、大型台風に耐えることの出来る構築構造を特許請求の範囲とする、
【請求項３】
海底勾配は７°〜１５°の範囲で海洋から陸地へ順次海底を浅くなる様に構築する事と突堤幅を順次狭める事と両方が合致することが重要であり、本特許請求の基本であるが、海洋水の引き波時のエネルギーと海洋側の陸地側へ押し寄せる海洋水のエネルギーとのバランスが必要である、そこで海底勾配を一定の勾配で海洋から陸地へ上げた場合、海洋側エネルギーが大きくなる様に、本発明は一定勾配の範囲内に平坦部平坦部を長く大きい面積をとることにより、一定の平坦部面積、長さと階段状の海底勾配をとることにより、導入水を効率よく、確保出来る構築構造を特許請求の範囲とする
【請求項４】
Ｖ字型突堤湾内の海洋水は、陸地部に構築した鉄筋コンクリート構築体に集積した径３ｍの鋳鉄管を通じ、高さ２２ｍの上部貯水池へ導くことにより発電装置の動力源とする、上昇海洋水が多い場合に備え補助導入揚水管として径１．５ｍ管を設置する、下部貯水池は構築高さ１１ｍの貯水池とし、１，５ｍの別配管にて上昇水を導入する。以上３系統の貯水池への上昇水を導入することにより導入水量に変化が生じた場合でも効率よく発電が出来る構築構造を特許請求の範囲とする
【請求項５】
貯水池は上部１５０ｍ×３００ｍ×２２ｍ高さの容量と、下部１５０ｍ×１５０ｍ×１１ｍ高さの容量とし、それぞれに水位の変化に伴う開閉水門を設け発電装置継続運転が出来る構築構造で上部、下部貯水池には小さな浮遊物を別排水路から海洋に放水出来る構築構造を特許請求の範囲とする。
【請求項６】
沿岸線には浸食防止用と岸壁併用として大口径２号港湾型鋼管を一列打設し、岸壁天端は５ｍ高さとした構造で鋼管根入５０ｍとした構築構造で、抑制タイプ鉄筋コンクリート構築体を構築する、その構築体下部は平均潮位０ｍから１８ｍ下部迄下げた位置を躯体底とし、沿岸線浸食防止大口径２号港湾型鋼管を平均潮位から１６ｍ下がった位置を天端とし、その構築部は鉄筋コンクリート構築体基礎へ２ｍ巻き込みみ施工した構築構造を特許請求の範囲とする。
【請求項７】
発電装置は上部貯水池の水位２０ｍから排水路を経て平均潮位０ｍ迄の落差を利用し、水車を回転し発電をする構築構造体で上部貯水池では落差発電箇所４か所２レーン計８か所、回転式発電装個所８か所２レーン計１６か所、下部貯水池部は落差発電個所４か所、２レーン計８か所、回転式発電装置個所１０か所２レーン計２０か所の発電装置を取り付け発電する構築構造を特許請求の範囲とする。
【発明の詳細な説明】
【技術分野】
【０００１】海洋に於いて連日繰り返し押し寄せる波エネルギーを利用する事による発電方式が各国に於いて色々研究がされている現状である、温度差発電、潮流発電潮位発電、波力発電等種種あるが今回海洋エネルギーをより大きく変化させ人為的に海洋水を自然にとりいれ、その海洋水を利用して発電をする方式を考えた
【技術背景】
【０００２】三陸海岸におけるチリー地震時の津波現象、東日本大震災に見られる津波被害状況を見てもわかるように、リアス式海岸に生ずる現象であり、陸地幅が徐々に狭くなり、陸地へ向かって浅くなる事により海洋水波高さが２乗化し大きくなることは昔から実証済みである、この現象を利用して海洋水を陸地高く導くことにより発電装装置の動力源とすることを考案した。
【発明の開示】
【発明が解決しようとする課題】
【０００３】台風時、地震、津波時に於ける海洋エネルギーに対応出来る構築設備が出来るか、常時海洋エネルギーを利用できるか、漂砂現象、浮遊物の除去方法等が課題である。
【課題を解決するための手段】
【０００４】台風時、地震、津波時に生ずるエネルギーの大きさを考慮し東日本大震災時の波が来ても破壊されない方法としてＶ字型突堤は幅２０ｍにケーソンを交互に並べ中詰めをしてその周辺は３重の大口径２号港湾型鋼管を巻き根入れは４０〜５０ｍ迄大口径削孔マシンにて削孔し、鋼管を建込みコンクリート中詰め鋼管天端は大口径ボルト締め頭部繋ぎとする、ケーソンの大きさは２０ｍ×１０ｍ×１０ｍとし３段〜４段重ねとし、その基礎はマウンド整地工とする、大口径２号港湾型鋼管の海洋側はテトラポット積み上げ構築とする、突堤陸地側は沿岸線上の浸食防止並びに岸壁構造鋼管は抑制型タイプ鉄筋コンクリート構築体に巻き込み波浪に対し対応出来る構築体とする、鉄筋コンクリート構築体は沿岸線鋼管と同じ深さ迄鋼管基礎杭を打設した構造とする、貯水池排水路周辺すべて径１ｍの鋼管にて包囲し津波が上昇しても洗掘破壊が生じない構築構造とする。貯水池周辺及びＶ字型突堤天端には１０ｍの管理、工事用道路を構築し緊急時に備える構築構造とする、常時海洋エネルギーを利用出来るかについては突堤幅を突堤の延長、長さに対し突堤の開き角度を変更し、海底勾配の角度と階段式突堤湾内の水平、平坦部の面積の確保により導入水を上部、下部貯水池へ導くことと、貯水池の貯水保有量により効率よく発電装置を動かす事が可能である構築構造とし漂砂については第一に発生個所を出来るだけ選定しない、次に放流水により沿岸流の方向付けを行う突堤延長を長くとる、突堤潜り堰を設ける事により漂砂の解決とする浮遊物処理に関してはＶ字型突堤陸地側に、幅５ｍの水門排出高さを平均潮位より３ｍ下部迄下げ、開閉排出、出来る水門を設置する  （排出水門１）
上部貯水池の排水路は（排出水門２）上部貯水池の発電用排水路の外側に設置し、水門は上、下、高さ２０ｍ〜１０ｍ迄開閉できる構造とする、下部水門は高さ９ｍ〜１ｍ迄開閉出来る構造とし、浮遊物を放流出来る構造とする、（排出水門３）各水門設備の上流側にはスクリーンを設置し、浮遊物を除去する、
【発明の実施形態】
【０００５】本施設の設置場所については沿岸線管轄都道府県、国土交通省に申請書を提出し、許認可後海流調査、地質調査、津波、台風、地震等の在来までの調査を行い、本設計、実施とする形態とする。
【図面の簡単な説明】
【０００６】
【図１】海洋エネルギー利用新発電システム構築構造平面図
【図２】海洋エネルギー利用新発電システム構築構造断面図
【図３】海洋エネルギー利用新発電システム発電装置断面図
【図４】海洋エネルギー利用新発電システム構築の海洋側から陸地へ向かった各断面図
【符号の説明】
【０００７】１、沿岸線（陸地部と海洋部の境界にある線（浸食防止用鋼管打設ライン）
２、原点（沿岸線より陸地部へ４０ｍ入った地点）
３、始点（沿岸線より陸地側へ７０ｍ入った地点）
４、排水門１（大型浮遊物排除するための水門Ｖ字突堤付属）
５、排水門（小型浮遊物排除水門、上部貯水池付属排水路外側５−１、下部貯水池排水路５−２）
６、突堤（Ｖ字型にケーソン積み上げ３〜４重積み上げ）上部は通路
７、大口径２号港湾型鋼管（ケーソン回り３重）
８、海洋側先端３重巻き高低差付き配列
９、ケーソン（鉄筋コンクリート作りボトム付き（１０ｍ×２０ｍ×１０ｍ）
１０、テトラポット
１１、マウンド整地工仕上げ部
１２、平均潮位（０，００ｍ）
１３、鉄筋コンクリート構築体（突堤終端部陸地側Ｖ字型抑制タイプ構築体）
１４、貯水池（上部１５０ｍ×３００ｍ、下部１５０ｍ×１５０ｍ）
１５、排水路（貯水池に付属し発電装置を備えた水路と浮遊物排水路）
１６、犬走り（１０ｍ）
１７、海洋水導入パイプライン（１７−１、１７−２、１７−３）
１８、海洋側先端部（三角形状）波浪防止用
１９、水位変化に伴う排水路施設（給水水門１９−１、落差発電装置１９−２、及び落差発電と落差発電の中間部に回転式発電装置１９−３）
２０、逆流防止水門
２１、大型砕石均し整地部
２２、コンクリート洗掘防止張石面
２３、階段上海底大型石張り面
２４、管理、工事用道路（施設全域外周及びＶ字型突堤天端）
２５、電気、機械室
２６、管理事務所
【図１】
2016070041.tif 000003
【図２】
2016070041.tif 000004
【図３】
2016070041.tif 000005
【図４】
2016070041.tif 000006